(57)【特許請求の範囲】
【請求項１】
スピニングリールのリール本体に前後移動自在に設けられたスプール軸に装着されるスピニングリールのスプールであって、
前記スプール軸に回転自在に装着された筒状の糸巻胴部と、前記糸巻胴部の前後にそれぞれ設けられ前記糸巻胴部より大径の前後のフランジ部とを有するスプール本体と、
前記糸巻胴部を押圧するように前記スプール軸の先端に螺合するドラグ操作部及び前記後フランジ部の後面に接触可能でありかつ前記スプール軸に後方への移動を規制された状態で配置された第１摩擦部を有するドラグ機構と、
前記第１摩擦部を後方から覆うように前記スプール本体に回転不能に設けられたカバー部材と、
前記カバー部材と前記スプール本体との間に装着され両者の隙間をシールする第１シール手段と、
前記スプール軸と前記カバー部材との間に装着され両者の隙間をシールする第２シール手段と、を備え、
前記第２シール手段は、前記カバー部材に接触する先端が尖ったリップを有するリップ付きのシール部材である、スピニングリールのスプール。
【請求項２】
前記スプール本体は、前記後フランジ部の外周部から後方に向かって延びる筒状のスカート部を有し、
前記スカート部と前記カバー部材の外周部との間に前記糸巻胴部に釣り糸を巻き付けるロータの円筒部の先端を配置可能である、請求項１に記載のスピニングリールのスプール。
【請求項３】
前記スプール軸に回転不能かつ軸方向移動不能に装着され軸受を介して前記糸巻胴部を回転自在に支持する第１支持部をさらに備え、
前記第２シール手段は、前記第１支持部に装着され、前記第１支持部と前記カバー部材との隙間をシールする、請求項１又は２に記載のスピニングリールのスプール。
【請求項４】
前記後フランジ部の後面には、前記第１摩擦部を収納可能な後方に突出する筒状のドラグ収納部が形成され、
前記カバー部材は、前記ドラグ収納部の外周面に螺合し、
前記第１シール手段は、前記外周面とカバー部材との間に装着されたＯリングである、請求項１から３のいずれかに記載のスピニングリールのスプール。
【請求項５】
前記スプール本体の前面で前記糸巻胴部とスプール軸との隙間をシールする第３シール手段をさらに備える、請求項１から４のいずれかに記載のスピニングリールのスプール。
【請求項６】
前記カバー部材に設けられ、前記ドラグ機構の作動時に発音する発音機構をさらに備える、請求項１から５のいずれかに記載のスピニングリールのスプール。
【請求項７】
前記第１摩擦部は、前記スプール軸に対して回転不能な１又は複数の第１ディスクと、前記第１ディスクと交互に配置され、前記スプール本体に対して回転不能な１又は複数の第２ディスクとを有する、請求項１から６のいずれかに記載のスピニングリールのスプール。
【請求項８】
前記糸巻胴部の内部には筒状のドラグ収納空間が形成されており、
前記ドラグ機構は、前記ドラグ収納空間に軸方向の移動を規制された状態で収納され前記ドラグ操作部により押圧される第２摩擦部を有する、請求項５から７のいずれかに記載のスピニングリールのスプール。
【請求項９】
前記第２摩擦部と前記ドラグ操作部との間に前記スプール軸に軸方向移動自在に配置され、軸受を介して前記糸巻胴部を回転自在に支持する第２支持部をさらに備える、請求項８に記載のスピニングリールのスプール。
【請求項１０】
前記第３シール手段は、前記第２支持部と前記ドラグ操作部との間に装着され両者の隙間をシールする第３シール部材と、前記第２支持部と前記糸巻胴部との間に装着され両者の隙間をシールする第４シール部材とを有する、請求項９に記載のスピニングリールのス プール。
【請求項１１】
スピニングリールのリール本体に前後移動自在に設けられたスプール軸に装着されるスピニングリールのスプールであって、
前記スプール軸に回転自在に装着された筒状の糸巻胴部と、前記糸巻胴部の前後にそれぞれ設けられ前記糸巻胴部より大径の前後のフランジ部とを有するスプール本体と、
前記糸巻胴部を押圧するように前記スプール軸の先端に螺合するドラグ操作部及び前記後フランジ部の後面に接触可能でありかつ前記スプール軸に後方への移動を規制された状態で配置された第１摩擦部を有するドラグ機構と、
前記第１摩擦部を後方から覆うように前記スプール本体に回転不能に設けられたカバー部材と、
前記カバー部材と前記スプール本体との間に装着され両者の隙間をシールする第１シール手段と、
前記スプール軸と前記カバー部材との間に装着され両者の隙間をシールする第２シール手段と、
前記スプール本体の前面で前記糸巻胴部とスプール軸との隙間をシールする第３シール手段と、を備え、
前記糸巻胴部の内部には筒状のドラグ収納空間が形成されており、
前記ドラグ機構は、前記ドラグ収納空間に軸方向の移動を規制された状態で収納され前記ドラグ操作部により押圧される第２摩擦部を有し、
前記第２摩擦部と前記ドラグ操作部との間に前記スプール軸に軸方向移動自在に配置され、軸受を介して前記糸巻胴部を回転自在に支持する第２支持部をさらに備え、    
前記第３シール手段は、前記第２支持部と前記ドラグ操作部との間に装着され両者の隙間をシールする第３シール部材と、前記第２支持部と前記糸巻胴部との間に装着され両者の隙間をシールする第４シール部材とを有する、スピニングリールのスプール。
【発明の詳細な説明】
【０００１】
【発明の属する技術分野】
本発明は、スプール、特に、スピニングリールのリール本体に前後移動自在に設けられたスプール軸に装着されるスピニングリールのスプールに関する。
【０００２】
【従来の技術】
ドラグ機構が内蔵されたフロントドラグ型のスピニングリールでは、スプールは、ドラグ機構を介してスプール軸の先端に連結されている。この種のスプールは、糸巻胴部と、糸巻胴部の両端に大径に形成された前後のフランジ部と、後フランジ部と一体形成された筒状のスカート部とを有している。ドラグ機構は、ドラグ操作部と、糸巻胴部の内部に形成されたドラグ収納空間に配置されドラグ操作部により押圧される摩擦部とを有している。摩擦部は、スプール軸に対して回転不能な第１ディスクと、スプールに対して回転不能な第２ディスクとを有している。
【０００３】
大型のスピニングリールでは、コンパクトなスプールで大きな号数の太い釣り糸の糸巻き量を確保できるようにするため、糸巻胴部を細く形成したものが知られている。このようなスピニングリールでは、糸巻胴部の径が比較的小さいため、太い釣り糸に対応する十分なドラグ力が得られるドラグ収納空間を糸巻胴部内に確保するのが困難になる。
【０００４】
そこで、糸巻胴部ではなくスプールの後部（具体的にはスカート部内）にドラグ機構の摩擦部を配置したスプールが実公平６−１６５１２号公報に開示されている。前記公報に開示されたスピニングリールのスプールは、後フランジ部の後面に後方に突出する筒状のドラグ収納部を形成し、そのドラグ収納部内に第１及び第２ディスクを有する摩擦部を収納している。摩擦部は後方への移動が規制された状態で後フランジ部の後面に接触可能に配置されている。スプール軸の先端には、摩擦部を押圧するためのドラグ操作部が螺合している。ドラグ収納部の後面には、摩擦部を抜け止めするための抜け止め手段がねじ止め固定されている。抜け止め手段は、摩擦部の後部を覆うように装着されている。
【０００５】
このように構成された従来のスプールでは、抜け止め手段により摩擦部が抜け止めされているので、スプールをスプール軸から外すと、摩擦部もそのままスプールとともにスプール軸から外れる。
【０００６】
【発明が解決しようとする課題】
前記従来の構成では、抜け止め手段により摩擦部を覆っているので、ドラグディスクにホコリや砂どの異物が侵入しにくくなる。しかし、スプールのスカート部とロータとの間には隙間があいているため、リールを液体で洗浄などすると、その隙間から液体が浸入しやすい。スカート部とロータとの隙間から液体が浸入すると、抜け止め部材とスプール軸との隙間や抜け止め部材とドラグ収納部との隙間から液体がドラグ機構内部に浸入して摩擦部内のディスクが濡れてドラグ力が変動するおそれがある。
【０００７】
本発明の課題は、後部にドラグ機構が配置されたスプールにおいて、ドラグ機構への液体の浸入によるドラグ力の変動を抑えることにある。
【０００８】
【課題を解決するための手段】
発明１に係るスピニングリールのスプールは、スピニングリールのリール本体に前後移動自在に設けられたスプール軸に装着されるものであって、スプール本体と、ドラグ機構と、カバー部材と、第１シール手段と、第２シール手段とを備えている。スプール本体は、スプール軸に回転自在に装着された筒状の糸巻胴部と、糸巻胴部の前後にそれぞれ設けられ糸巻胴部より大径の前後のフランジ部とを有している。ドラグ機構は、糸巻胴部を押圧するようにスプール軸の先端に螺合するドラグ操作部及び後フランジ部の後面に接触可能でありかつスプール軸に後方への移動を規制された状態で配置された第１摩擦部を有している。カバー部材は、第１摩擦部を後方から覆うようにスプール本体に回転不能に設けられた部材である。第１シール手段は、カバー部材とスプール本体との間に装着され両者の隙間をシールする手段である。第２シール手段は、スプール軸とカバー部材との間に装着され両者の隙間をシールする手段である。第２シール手段は、カバー部材に接触する先端が尖ったリップを有するリップ付きのシールである。
【０００９】
このスピニングリールでは、ドラグ操作部を回すと、糸巻胴部を介して第１摩擦部が押圧される。第１摩擦部は後方への移動が規制されているため、糸巻胴部が押圧されると第１摩擦部と糸巻胴部との圧接力が変化し、ドラグ力が変動する。この第１摩擦部は後方からカバー部材により覆われている。また、カバー部材とスプール本体との隙間は第１シール手段により塞がれ、カバー部材とスプール軸との隙間は第２シール手段により塞がれている。ここでは、第１摩擦部を後方からカバー部材で覆うとともに、カバー部材とスプール本体及びスプール軸との隙間をシール部材によりシールしているので、スプールとロータとの隙間から液体が浸入してもドラグ機構へ液体が浸入しにくくなる。このため、第１摩擦部が濡れにくくなり、ドラグ力の変動を抑えることができる。また、第２シール手段がリップを有する場合には、尖ったリップの接触によりシールしているので、回転抵抗が小さくなる。
【００１０】
発明２に係るスピニングリールのスプールは、発明１に記載のスプールにおいて、スプール本体は、後フランジ部の外周部から後方に向かって延びる筒状のスカート部を有し、スカート部と前記カバー部材の外周部との間に糸巻胴部に釣り糸を巻き付けるロータの円筒部の先端が配置される。この場合には、ロータの円筒部の先端がスカート部とカバー部材の外周部との間に配置可能である。このため、スプールの後部にドラグ機構を配置してもスプールが後退端に退入したときにカバー部材がロータの円筒部の先端に衝突しない。このため、スプールの前後移動に対してドラグ機構のスプール軸方向の寸法を考慮しなくてすみ、コンパクトなリールを実現できる。
【００１１】
発明３に係るスピニングリールのスプールは、発明１又は２に記載のスプールにおいて、スプール軸に回転不能かつ軸方向移動不能に装着され軸受を介して糸巻胴部を回転自在に支持する支持部をさらに備え、第２シール手段は、支持部に装着され、支持部とカバー部材との隙間をシールする。この場合には、スプール軸に支持部を設け支持部とカバー部材との隙間を第２シール手段でシールしているので、支持部とカバー部材との隙間が小さくなり、第２シール手段で隙間をシールしやすくなる。
【００１２】
発明４に係るスピニングリールのスプールは、発明１から３のいずれかに記載のスプールにおいて、後フランジ部の後面には、第１摩擦部を収納可能な後方に突出する筒状のドラグ収納部が形成され、カバー部材は、ドラグ収納部の外周面に螺合し、第１シール手段は、外周面とカバー部材との間に装着されたＯリングである。この場合には、カバー部材を筒状のドラグ収納部の外周面に螺合させて固定しているので、ねじ穴やボルトなどを使用する必要がなくなり、カバー部材の固定構造が簡素になる。また、Ｏリングでシールしているので、シール構造も簡素になる。
【００１３】
発明５に係るスピニングリールのスプールは、発明１から４のいずれかに記載のスプールにおいて、スプール本体の前面で糸巻胴部とスプール軸との隙間をシールする第３シール手段をさらに備える。この場合には、スプールの前面からの液体の浸入も防止できるので、第１摩擦部がさらに濡れにくくなり、ドラグ力の変動がさらに少なくなる。
【００１４】
発明６に係るスピニングリールのスプールは、発明１から５のいずれかに記載のスプールにおいて、カバー部材に設けられ、ドラグ機構の作動時に発音する発音機構をさらに備える。この場合には、薄肉でよい比較的振動しやすいカバー部材に発音機構を設けたので、ドラグ作動時に明瞭な音を出しやすい。
【００１５】
発明７に係るスピニングリールのスプールは、発明１から６のいずれかに記載のスプールにおいて、第１摩擦部は、スプール軸に対して回転不能な１又は複数の第１ディスクと、第１ディスクと交互に配置され、スプール本体に対して回転不能な１又は複数の第２ディスクとを有する。この場合には、交互に配置された第１及び第２ディスクの枚数により用途に合わせたドラグ力を任意に設定できる。
【００１６】
発明８に係るスピニングリールのスプールは、発明５から７のいずれかに記載のスプールにおいて、糸巻胴部の内部には筒状のドラグ収納空間が形成されており、ドラグ機構は、ドラグ収納空間に軸方向の移動を規制された状態で収納されドラグ操作部により押圧される第２摩擦部を有する。この場合には、スプール後部に配置された第１摩擦部に加えて糸巻胴部内にも第２摩擦部が配置されるので、さらに大きなドラグ力を得ることができる。
【００１７】
発明９に係るスピニングリールのスプールは、発明８に記載のスプールにおいて、第２摩擦部とドラグ操作部との間にスプール軸に軸方向移動自在に配置され、軸受を介して糸巻胴部を回転自在に支持する第２支持部をさらに備える。この場合には、第２摩擦部を挟んで間隔を隔てて配置された２つの支持部で糸巻胴部を支持するので、スプールの支持間隔を十分に離すことができ、スプールが傾きにくくなり、ドラグ作動時のしゃくりが生じにくくなる。
【００１８】
発明１０に係るスピニングリールのスプールは、発明９に記載のスプールにおいて、第３シール手段は、第２支持部とドラグ操作部との間に装着され両者の隙間をシールする第３シール部材と、第２支持部と糸巻胴部との間に装着され両者の隙間をシールする第４シール部材とを有する。この場合には、第２支持部によりスプールを支持してもスプール本体内部への液体の浸入を防止でき、ドラグの変動を防止できる。
【００１９】
発明１１に係るスピニングリールのスプールは、スピニングリールのリール本体に前後移動自在に設けられたスプール軸に装着されるものであって、スプール本体と、ドラグ機構と、カバー部材と、第１シール手段と、第２シール手段と、第３シール手段とを備えている。スプール本体は、スプール軸に回転自在に装着された筒状の糸巻胴部と、糸巻胴部の前後にそれぞれ設けられ糸巻胴部より大径の前後のフランジ部とを有している。ドラグ機構は、糸巻胴部を押圧するようにスプール軸の先端に螺合するドラグ操作部及び後フランジ部の後面に接触可能でありかつスプール軸に後方への移動を規制された状態で配置された第１摩擦部を有している。カバー部材は、第１摩擦部を後方から覆うようにスプール本体に回転不能に設けられた部材である。第１シール手段は、カバー部材とスプール本体との間に装着され両者の隙間をシールする手段である。第２シール手段は、スプール軸とカバー部材との間に装着され両者の隙間をシールする手段である。第３シール手段は、スプール本体の前面で糸巻胴部とスプール軸との隙間をシールする。
【００２０】
糸巻胴部の内部には筒状のドラグ収納空間が形成されており、ドラグ機構は、ドラグ収納空間に軸方向の移動を規制された状態で収納されドラグ操作部により押圧される第２摩擦部を有する。
【００２１】
第２摩擦部とドラグ操作部との間にスプール軸に軸方向移動自在に配置され、軸受を介して糸巻胴部を回転自在に支持する第２支持部をさらに備える。
【００２２】
第３シール手段は、第２支持部とドラグ操作部との間に装着され両者の隙間をシールする第３シール部材と、第２支持部と糸巻胴部との間に装着され両者の隙間をシールする第４シール部材とを有する。
【００２３】
このスピニングリールでは、ドラグ操作部を回すと、糸巻胴部を介して第１摩擦部が押圧される。第１摩擦部は後方への移動が規制されているため、糸巻胴部が押圧されると第１摩擦部と糸巻胴部との圧接力が変化し、ドラグ力が変動する。この第１摩擦部は後方からカバー部材により覆われている。また、カバー部材とスプール本体との隙間は第１シール手段により塞がれ、カバー部材とスプール軸との隙間は第２シール手段により塞がれている。ここでは、第１摩擦部を後方からカバー部材で覆うとともに、カバー部材とスプール本体及びスプール軸との隙間をシール部材によりシールしているので、スプールとロータとの隙間から液体が浸入してもドラグ機構へ液体が浸入しにくくなる。このため、第１摩擦部が濡れにくくなり、ドラグ力の変動を抑えることができる。
【００２４】
また、第３シール手段によりスプールの前面からの液体の浸入も防止できるので、第１摩擦部がさらに濡れにくくなり、ドラグ力の変動がさらに少なくなる。
【００２５】
さらに、スプール後部に配置された第１摩擦部に加えて糸巻胴部内にも第２摩擦部が配置されるので、さらに大きなドラグ力を得ることができる。
【００２６】
さらにまた、第２摩擦部を挟んで間隔を隔てて配置された２つの支持部で糸巻胴部を支持するので、スプールの支持間隔を十分に離すことができ、スプールが傾きにくくなり、ドラグ作動時のしゃくりが生じにくくなる。
【００２７】
また、第２支持部によりスプールを支持してもスプール本体内部への液体の浸入を防止でき、ドラグの変動を防止できる。
【００２８】
【発明の実施の形態】
図１において、本発明の一実施形態を採用したスピニングリールは、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２９】
リール本体２は、リールボディ２ａと、リールボディ２ａから斜め上前方に延びる竿取付脚２ｂとを有している。リールボディ２ａは、図２に示すように内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。リールボディ２ａの前部には、前方に突出する筒状部２ｃが設けられている。
【００３０】
ロータ駆動機構５は、ハンドル１が連結されたハンドル軸１０とともに回転するフェースギア１１と、このフェースギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ軸受１４ａ，１４ｂを介してリール本体２に回転自在に支持されている。ピニオンギア１２の前部１２ａには所定長さの平行な面取り部１２ｂ（図４）が形成されている。面取り部１２ｂは、ロータ３及びワンウェイクラッチ（後述）をピニオンギア１２に回転不能に連結するために形成されている。
【００３１】
オシレーティング機構６は、トラバースカム方式の機構であり、スプール４の中心部にドラグ機構８を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、図示しない減速機構を介してピニオンギア１２に噛み合っている。
【００３２】
ロータ３は、図２に示すように、円筒部３０と、円筒部３０の側方に互いに対向して設けられた第１及び第２ロータアーム３１，３２とを有している。円筒部３０と両ロータアーム３１，３２とは、たとえばアルミニウム合金製であり一体成形されている。
【００３３】
円筒部３０の前部には前壁３３が形成されており、前壁３３の中央部にはボス部３３ａが形成されている。ボス部３３ａの中心部には面取り部１２ｂに回転不能に係止される小判形状の貫通孔３３ｂが形成されており、この貫通孔３３ｂをピニオンギアの前部１２ａ及びスプール軸１５が貫通している。前壁３３の前部にナット１３が配置されており、ナット１３の内部には、スプール軸１５を回転自在に支持する軸受３５が配置されている。この軸受３５によりピニオンギア１２とスプール軸１５との間に隙間を形成している。これにより、スプール軸１５がたわんでもロータ３の回転に影響を与えにくくなり、ロータ３の回転が軽くなる。
【００３４】
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００３５】
第２ロータアーム３２は、円筒部３０から外方に凸に湾曲して前方に延びている。第２ロータアーム３２は、円筒部３０との接続部は円筒部３０の周方向に広がり湾曲している。第２ロータアーム３２の先端内周側には、第２ベール支持部材４２が揺動自在に装着されている。
【００３６】
ラインローラ４１と第２ベール支持部材４２との間には線材を略Ｕ状に湾曲させた形状のベール４３が固定されている。これらの第１及び第２ベール支持部材４０，４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００３７】
円筒部３０の内側において、リールボディ２ａの筒状部２ｃの内部にはロータ３の逆転を常時禁止するための逆転防止機構５０が配置されている。逆転防止機構５０は、図４に示すように、内輪５２が遊転するローラ型のワンウェイクラッチ５１を有している。ワンウェイクラッチ５１は、ピニオンギア１２に回転不能に係止された内輪５２と、内輪５２の外周側に隙間をあけて同芯に配置された外輪５３と、内輪５２と外輪５３とに接触可能に配置された複数のローラ５４と、ローラ５４を付勢して周方向に等間隔に配置するためのばね部材５８と、ばね部材５８を保持するばね保持部材５５とを有している。
【００３８】
内輪５２は、ピニオンギア１２に回転自在に装着された内輪本体５６と、内輪本体５６をピニオンギア１２に回転不能に連結するための連結部材５７とを有している。内輪本体５６は、大径部５６ａと小径部５６ｂとを有する段付き筒状部材である。大径部５６ａには、連結部材５７を回転不能に係止するための係止凹部５６ｃが形成されている。係止凹部５６ｃは、正面から見て略矩形の空間である。大径部５６ａの外周面はローラ５４が転動する精密加工された円形の転動面５６ｄである。小径部５６ｂの中心部には、円形の装着孔５６ｅが形成されている。装着孔５６ｅは、ピニオンギア１２の面取り部１２ｂが形成されていない部分に装着され、ピニオンギア１２に芯出しされた状態で装着されている。
【００３９】
連結部材５７は、外周部が略矩形の部材であり、中心にピニオンギア１２の面取り部１２ｂに回転不能に係止される小判形状の貫通孔５７ａが形成されている。連結部材５７の外周部は、略矩形形状であり、内輪本体５６の係止凹部５６ｃに係合して内輪本体５６を回転不能に係止する。これにより、内輪本体５６は、ピニオンギア１２と回転不能に連結される。
【００４０】
外輪５３は、リールボディ２ａの前部に回転不能に装着されており、その内周面には、ローラ５４に対してくさび効果を発揮するための湾曲したカム面（図示せず）が形成されている。
【００４１】
ばね保持部材５５は、ローラ５４を周方向に間隔を隔てて保持するばね部材５８を保持するものである。ばね部材５８は、ローラ５４を逆転許容方向に付勢して等間隔に配置し、ロータ３が糸繰り出し方向に付勢された状態から糸巻取方向に回転したときの逆転許容動作への応答を速くするために設けられている。
【００４２】
ワンウェイクラッチ５１の前方において、筒状部２ｃには、リールボディ２ａ内部への液体の浸入を防止するためのリップ付きのシール板５９が装着されている。シール板５９は、５角形状に折り曲げられた抜け止めばね６０により抜け止めされている。
【００４３】
スプール４は、図２に示すように、ロータ３の第１ロータアーム３１と第２ロータアーム３２との間に配置されている。スプール４は、図３及び図５に示すように、２つの軸受６３，６４によりスプール軸１５に回転自在に装着されたスプール本体７と、スプール本体７をスプール軸１５の先端に装着するドラグ機構８と、スプール本体７の後部を覆うカバー部材９と、第１及び第２シール手段としての第１及び第２シール部材６１，６２とを有している。
【００４４】
先端からロータ３の前方にかけてスプール軸１５の外周面には、ドラグ機構８を回転不能に係止するための平行な面取り部１５ａが形成されている。面取り部１５ａの先端部には、さらにドラグ機構８のドラグ力を調整操作するためのドラグ操作部７０（後述）が螺合する雄ねじ部１５ｂが形成されている。
【００４５】
また、スプール軸１５のロータ３の前方には、スプール４を回転自在に支持するとともに第１摩擦部７１（後述）の後方への移動を規制するための第１支持部２５が装着されている。第１支持部２５は、筒状の支持部本体２６と、支持部本体２６の後方への移動を規制するとともに支持部本体２６をスプール軸１５に対して回転不能にする規制部２７とを有している。支持部本体２６は、軸受６３が装着された小径筒状の軸受装着部２６ａと、ドラグ機構８を回転不能に係止するために５角星形状に形成された大径の係止部２６ｂとを有している。軸受６３の外輪後面は、図示しない抜け止め部材により抜け止めされている。支持部本体２６は、スプール軸１５に回転自在に装着されており、スプール軸１５に径方向に沿ってねじ込まれた止めねじ２８によっても、スプール軸１５に回転転不能かつ軸方向移動不能に止められている。
【００４６】
規制部２７は、支持部本体２６に固定された３枚の規制ディスク７８，７９，８０を有している。規制ディスク７８は、第２シール部材６２を規制ディスク７９とで挟持する。規制ディスク７９は、規制ディスク７８より小径であり、第２シール部材６２が外周に装着される。規制ディスク７９は、中心にスプール軸１５の面取り部１５ａに回転不能に係止される小判形状の貫通孔７９ａを有している。規制ディスク８０は、規制ディスク７９より大径であり、中心にスプール軸１５の面取り部１５ａに回転不能に係止される小判形状の貫通孔８０ａを有している。また、規制ディスク８０は、スプール軸１５の面取り部１５ａの後端部に配置されており、スプール軸１５の面取り部１５ａと円形部分との段差により軸方向後方に移動不能に配置されている。これにより、支持部本体２６及び第１摩擦部７１のスプール軸方向後方への移動が規制される。これらの３枚の規制ディスク７８〜８０は、規制ディスク８０の後方から貫通して支持部本体２６の後面にねじ込まれた５本の皿ボルト８１により支持部本体２６に固定されている。この結果、支持部本体２６は、スプール軸１５に対してさらに強固に回転不能になる。
【００４７】
スプール軸１５のスプール本体７の内部には、スプール４を回転自在に支持するための第２支持部２９が装着されている。第２支持部２９は、スプール軸１５に軸方向移動自在に装着された略筒状の内側部材２９ａと、スプール本体７の内周部に固定された略筒状の外側部材２９ｂとを有しており、内側部材２９ａと外側部材２９ｂとの間に軸受６４が装着されている。内側部材２９ａは、後面にドラグ機構８を押圧するためのフランジ部２９ｃを有している。
【００４８】
外側部材２９ｂの前面中間部には、前方に突出する筒状のシール受け部２９ｄが形成されており、後述するドラグ操作部７０に装着されたリップ付きの第３シール部材４８の先端が接触している。また、外側部材２９ｂとスプール本体７との間にはＯリングからなる第４シール部材４９が装着されている。この第３シール部材４８と第４シール部材４９とによりスプール４の前方から内部への液体の浸入を防止する第３シール手段が構成される。ここで、外側部材２９ｂを設けるとともにシール受け部２９ｄを前面中間部に設けたのは、スプール本体７の糸巻胴部７ａ（後述）の径が変動しても外側部材２９ｂの形状や有無により変動を吸収できるようにするとともに、その径に応じてドラグ操作部７０とドラグ収納空間６５（後述）との隙間が変動してもシール位置が変動しないようにしてドラグ操作部７０の互換性を維持するためである。すなわち、糸巻胴部７ａの径が小さくなった場合には、シール受け部２９ｄではなく糸巻胴部７ａの内周面に同じサイズの第３シール部材４８の先端を直接接触させることができる。
【００４９】
スプール本体７は、たとえばアルミニウム合金を鍛造成形して得られた大小２段の円筒状の部材であり、外周に釣り糸が巻かれる筒状の糸巻胴部７ａと、糸巻胴部７ａの前後に設けられた大径の前後のフランジ部７ｂ，７ｃと、後フランジ部７ｃから後方に延びる筒状のスカート部７ｄとを有している。
【００５０】
糸巻胴部７ａの前側内部には、ドラグ機構８の第２摩擦部７２（後述）を収納する筒状のドラグ収納空間６５が形成されている。ドラグ収納空間６５には、ドラグ機構８を回転不能に係止する１対の係止溝６５ａが軸方向に沿って形成されている。糸巻胴部７ａの後側面には、環状の肉盗み部７ｆが形成されている。この肉盗み部７ｆは、スプール４の軽量化を図るために形成されている。
【００５１】
前フランジ部７ｂは、糸巻胴部７ａと一体形成された内側フランジ部６６ａと、内側フランジ部６６ａの外周部に装着された、硬質セラミック製の外側フランジ部６６ｂとを有している。外側フランジ部６６ｂは、スプール４から放出される釣り糸との接触による傷付きや磨耗を防止するために設けられている。外側フランジ部６６ｂは、糸巻胴部７ａの前側内周部にねじ込み固定されたフランジ固定部材６７により内側フランジ部６６ａに固定されている。
【００５２】
後フランジ部７ｃは、前フランジ部７ｂより僅かに大径に糸巻胴部７ａと一体形成されている。後フランジ部７ｃの後面にはスカート部７ｄの内周側に間隔を隔てて筒状のドラグ収納部７ｅが後方に突出して形成されている。ドラグ収納部７ｅ内には、ドラグ機構８の第１摩擦部７１（後述）が収納されている。ドラグ収納部７ｅの外周面には、カバー部材９をねじ込み固定するための雄ねじ部６８が形成されている。また、内周面には、第１摩擦部７１を回転不能に係止するための１対の係止溝６９が対向して形成されている。係止溝６９はスプール軸方向に沿って形成されている。
【００５３】
スカート部７ｄは、後フランジ部７ｃと一体形成され後フランジ部７ｃの外周部から後方に筒状に延びている。この延びた先端は、スプール４の前進端に移動したとき、ロータ３の円筒部３０の先端と僅かに重なる位置に配置される。
【００５４】
ドラグ機構８は、スプール本体７とスプール軸１５との間に装着され、スプール４にドラグ力を作用させるための機構である。ドラグ機構８は、ドラグ力を手で調整するためにスプール軸１５の先端に配置されたドラグ操作部７０と、ドラグ操作部７０により押圧される第１及び第２摩擦部７１，７２とを有している。
【００５５】
ドラグ操作部７０は、ドラグ調整時に発音するドラグ調整発音機構７０ａと、スプール軸１５の先端に形成された雄ねじ部１５ｂに螺合するナット７０ｂと、ドラグ力を増減するコイルばね７０ｃとを内部に有している。ドラグ操作部７０は、スプール軸１５に対して回動することによりナット７０ｂをスプール軸１５に対して前後移動させる。このナット７０ｂの移動により、コイルばね７０ｃを伸縮させて第１摩擦部７１及び第２摩擦部７２への押圧力を変化させてドラグ力を調整する。ドラグ操作部７０の後部外周面には、前述したように第３シール部材４８が装着されており、これにより、スプール本体７内部への液体の浸入が防止される。第３シール部材４８は、前方に傾斜したリップを有するリップ付きの環状弾性体製のシール部材であり、止め輪４８ａにより抜け止めされている。
【００５６】
第１摩擦部７１は、スプール軸１５に対して回転不能な第１ディスク７３と、第１ディスク７３と押圧可能に配置されスプール本体7に対して回転不能な第２ディスク７４と、後フランジ部７ｃの後面に接触して配置されたたとえばアルミニウム合金製の保護ディスク７５とを有している。また、第１摩擦部７１は、３枚の調整ワッシャ７６を介して規制部２７によりスプール軸方向後方への移動が規制されている。第１摩擦部７１は、カバー部材９により覆われており、第１及び第２シール部材６１，６２により後方から内部への液体の浸入が防止されている。
【００５７】
第１ディスク７３は、たとえばステンレス合金製の部材であり、第１支持部２５の支持部本体２６に形成された係止部２６ｂに係止される５角星形状の係止孔７３ａを中心部に有している。これにより、第１ディスク７３はスプール軸１５に対して回転不能であり、スプール軸１５はリール本体２に対して回転不能なためリール本体２に対して回転不能になる。第１ディスク７３は、音出しディスク８２（後述）を介して規制部２７に接触して後方への移動が規制されている。
【００５８】
第２ディスク７４は、たとえばグラファイト製の部材であり、第１ディスク７３と相対回転してドラグ力を発生するものである。第２ディスク７４は係止溝６９に係止される耳部７４ａを外周部に有し、内周部に第１支持部２５が貫通する貫通孔７４ｂを有している。これにより、第２ディスク７４はスプール本体７に対して回転不能である。
【００５９】
保護ディスク７５は、比較的軟質なアルミニウム製の後フランジ部７ｃの内周側に軽量化のために肉盗み部７ｆを設けたときに、ドラグ面積を減らすことなく第２ディスク７４に均一に圧力が作用するように設けられた部材である。保護ディスク７５は、ドラグ収納部７ｅに形成された係止溝６９に係止される耳部７５ａを外周部に有し、内周部に第１支持部２５が貫通する貫通孔７５ｂを有している。これにより、保護ディスク７５は、スプール本体７に対して回転不能である。
【００６０】
第１ディスク７３の後面には、ドラグ作動時に発音するドラグ発音機構７７が配置されている。ドラグ発音機構７７は、第１ディスク７３と規制部２７との間に配置された音出しディスク８２と、カバー部材９に固定された１対のガイド部材８３に移動自在に装着された２つの音出しピン８４と、各音出しピン８４を音出しディスク８２側に付勢する２つのコイルばね８５とを有している。音出しディスク８２は、第１支持部２５の係止部２６ｂに回転不能に装着されており、スプール軸１５に対して回転不能である。音出しディスク８２の音出しピン８４に対向する位置には周方向に間隔を隔てて多数の凹部８２ａが形成されている。音出しディスク８２の中心部には、係止部２６ｂに係止される５角星形状の係止孔８２ｂが形成されている。ガイド部材８３は、カバー部材９にビスにより固定された有底筒状の部材であり、この内部に音出しピン８４が進退自在に装着されている。このような構成のドラグ発音機構７７では、ドラグが作動してスプール４がスプール軸１５に対して相対回転すると、音出しピン８４が凹部８２ａに対して進退を繰り返して振動して発音する。
【００６１】
第２摩擦部７２は、スプール軸１５に対して回転不能な２枚のたとえばステンレス合金製の第３ディスク８６ａ，８６ｂと、糸巻胴部７ａに対して回転不能な２枚の第４ディスク８７ａ，８７ｂとを有している。第３ディスク８６ａ，８６ｂと第４ディスク８７ａ，８７ｂとは交互に配置されており、その間には、カーボングラファイト製の３枚のドラグディスク８８ａ〜８８ｃが装着されている。第３ディスク８６ａは、第２支持部２９の内側部材２９ａに形成されたフランジ部２９ｃに対向して配置されており、スプール軸１５に形成された面取り部１５ａに係止される小判形状の貫通孔８６ｃが内周部に形成されている。第３ディスク８６ｂも同様な貫通孔８６ｃを有している。これにより第３ディスク８６ａ，８６ｂはスプール軸１５に対して回転不能になっている。第４ディスク８７ａ，８７ｂの外周部には、ドラグ収納空間６５に形成された係止溝６５ａに係合する耳部８７ｃが突出して形成されている。これにより第４ディスク８７ａ，８７ｂはスプール４に対して回転不能になっている。第４ディスク８７ａは、ステンレス合金製である。第４ディスク８７ｂは、たとえばカーボングラファイト製であり、ドラグ収納空間６５の壁部に接触可能であり、スプール本体７を後方に押圧する。
【００６２】
カバー部材９は、ドラグ操作部７０をスプール軸１５から外して、スプール４をスプール軸１５から取り外すとき、第１摩擦部７１をスプール本体７とともに着脱するために設けられている。カバー部材９は、ドラグ収納部７ｅの外周部に配置される第１円筒部９ａと、第１円筒部９ａから内方に延び第１摩擦部７１の後方に配置される円板部９ｂと、円板部９ｂから後方に延びる第２円筒部９ｃとを有している。第１円筒部９ａの内周面には、ドラグ収納部７ｅの外周面に形成された雄ねじ部６８に螺合する雌ねじ部９ｄが形成されている。雌ねじ部９ｄの先端側には、ドラグ収納部７ｅの外周部との間に第１シール部材６１が装着されている。円板部９ｂには、ガイド部材８３が装着される１対の貫通孔が形成されている。第２円筒部９ｃには、規制ディスク７９に装着された第２シール部材６２の先端が接触している。カバー部材９の外周面とスカート部７ｄとの間には隙間が形成されており、この隙間にロータ３の円筒部３０の先端が配置可能である。これにより、スプール４が後退したときに、スプール４の後退位置をリール本体２側に近づけることができ、リールの前後長さをコンパクトに維持できる。
【００６３】
第１シール部材６１はＯリングからなり、カバー部材９の外周部とドラグ収納部７ｅとの隙間をシールし、カバー部材９の外周部から第１摩擦部７１への液体の浸入を防止する。第２シール部材６２は、先端に後方に向けて傾いたリップを有するシール部材である。第２シール部材６２は、カバー部材９の内周部とスプール軸１５との隙間をシールし、カバー部材９の内周部から第１摩擦部７１への液体の浸入を防止する。このように、２つのシール部材６１，６２により第１摩擦部７１がシールされているので、第１摩擦部７１や第２摩擦部７２に液体が侵入しにくくなり、水ぬれによるドラグ力の変動が生じにくくなる。また、スプールの前部も第３シール部材４８や第４シール部材４９により液体の浸入が防止されているので、スプール４の前部から第２摩擦部７２や第１摩擦部７１へ液体が浸入しにくくなる。
【００６４】
〔リールの操作及び動作〕
釣りを行う前に魚の大きさや種類に合わせてドラグ力を調整する。ドラグ力を調整するには、釣り糸の適宜の長さ繰り出し、釣り糸の先端に対象魚に応じた重りを装着する。そして、ドラグ操作部７０を回して適当なドラグ力を設定してハンドル１を回し、ドラグが作動することを確認する。ドラグ操作部７０をたとえば時計回りに回すとスプール軸１５に螺合するナット７０ｂによりドラグ操作部７０が後方に移動し、さらにコイルばね７０ｃを介して第２支持部２９の内側部材２９ａを押圧し、この押圧力が第２摩擦部７２に伝達されるとともに、スプール本体７を介してさらに第１摩擦部７１にも伝達される。これによりドラグ力が大きくなる。このとき、ドラグ調整発音機構７０ａが軽快なクリック音を発生する。ここでは、スプール本体７の後部の比較的大きな空間に第１摩擦部７１を配置したので、糸巻胴部７ａの径を小さくした深溝型のスプール４であっても、大きなドラグ力を得ることができる。
【００６５】
キャスティング時にはベールアーム４４を糸開放姿勢に反転させる。これにより第１ベール支持部材４０及び第２ベール支持部材４２は揺動する。この状態で釣り竿を握る手の人差し指で釣り糸を引っかけながら釣り竿をキャスティングする。すると釣り糸は仕掛けの重さにより勢いよく放出される。仕掛けが着水した後ハンドル１を糸巻取方向に回転させると、ロータ駆動機構５によりロータ３が糸巻取方向に回転する。ロータ３が回転すると、ベールアーム４４がベール反転機構（図示せず）により糸巻取位置に復帰しロータ３の逆転が禁止されているので釣り糸の放出が止まる。
【００６６】
釣り糸を巻き取る際には、ハンドル１を糸巻取方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。このとき、糸巻胴部７ａの径が前後のフランジ部７ｂ，７ｃに比べて小径な深溝型のスプール４では、スプール全体の径を小さく維持して糸巻き量を多くすることができる。
【００６７】
仕掛けに魚がかかると、ドラグ機構８が作動することがある。ドラグ機構８が作動すると、第１摩擦部７１の第１ディスク７３と第２ディスク７４及び第２摩擦部７２の第３ディスク８６ａ，８６ｂと第４ディスク８７ａ，８７ｂとの間でそれぞれ滑りが生じ、設定されたドラグ力で釣り糸が繰り出される。
【００６８】
釣りをしているときやリールを洗浄しているときに、リールが水濡れし、スカート部７ｄとロータ３の円筒部３０との隙間から液体が侵入することがある。しかし、カバー部材９の外周部及び内周部に第１及び第２シール部材６１，６２が装着されているので、後方から液体が浸入しても第１摩擦部７１の内部に液体が浸入することがない。
【００６９】
スプール４をスプール軸１５から外す場合には、ドラグ操作部７０を反時計回りに回転させる。すると、ドラグ操作部７０がスプール軸１５から外れて、スプール４をスプール軸１５から取り出すことができる。このとき、第１摩擦部７１は、後フランジ部７ｃに装着されたカバー部材９により覆われているので、軸受６３及びスプール本体７とともに第１支持部２５から外れる。また、第２摩擦部７２は、前部が第２支持部２９により覆われているので、軸受６４及び第２支持部２９とともにスプール軸１５から外れる。このように、ドラグ機構８は、スプール本体７とともに一体で着脱できる。したがって、スプール４の構成部品のうち、第１支持部２５と調整ワッシャ７６だけがスプール軸１５に残る。
【００７０】
〔他の実施形態〕
（ａ）前記実施形態では、カバー部材９を後フランジ部７ｃの外周部より内周側に配置したが、図６に示すように、スプール１０４のカバー部材１０９をスカート部１０７ｄと一体で形成してもよい。このようにカバー部材１０９とスカート部１０７ｄとを一体形成すると、濡れた釣り糸が常時接触し、かつ強度が必要なスプール本体７に耐食性の高い表面処理を施した強度を重視した材料を用い、強度的な要請は比較的低いが釣り糸が巻かれずに表面に露出するスカート部１０７ｄには装飾性のある表面処理や光輝性のある材料を用いることができる。このため、耐食性を維持して装飾性が高い高級感があるスプールを提供できる。
【００７１】
以下の説明では、前記実施形態と異なるスプール４の後フランジ部１０７ｃ、スカート部１０７ｄ、カバー部材１０９及びドラグ機構１０８の第１摩擦部１７１について説明する。
【００７２】
スカート部１０７ｄは、後フランジ部１０７ｃと一体形成され後フランジ部１０７ｃの外周部から後方に延びる第１部分１０７ｇと、カバー部材１０９から第１部分１０７ｇと面一に後方に延びる第２部分１０７ｈとを有している。スカート部１０７ｄの第１部分１０７ｇの内周部には、カバー部材１０９に螺合する雌ねじ部１０７ｉが形成されている。糸巻胴部と一体形成されたスカート部１０７ｄは、たとえば強度及び耐食性を考慮して表面処理されたアルミニウムダイキャスト品である。
【００７３】
カバー部材１０９は、第１部分１０７ｇの雌ねじ部１０７ｉに螺合する雄ねじ部１０９ａが形成された第１円筒部１０９ｂと、第１円筒部１０９ｂの内周部から内側に延びる第１円板部１０９ｃと、第１円板部１０９ｃの内周部から後方に延びる第２円筒部１０９ｄと、第２円筒部１０９ｄの後端部から内側に延びる第２円板部１０９ｅと、第２円板部１０９ｅの内周部から後方に延びる第３円筒部１０９ｆとを有している。カバー部材１０９は、たとえばアルミニウム鍛造品であり、軽量で高装飾性を有するものである。第１円筒部１０９ｂは、スカート部１０７ｄの第１部分１０７ｇに連なる第２部分１０７ｈと一体形成されている。このため、第１円筒部１０９ｂは、第２部分１０７ｈに対して第１部分１０７ｇの略肉厚分だけ小径になっている。第１円筒部１０９ｂの前方においてスカート部１０７ｄの内周面には、１対の第２係止溝１６９ｂが形成されている。第２係止溝１６９ｂには、第１摩擦部１７１の第２ディスク１７４ｂが回転不能に装着されている。
【００７４】
第１円板部１０９ｃは、第１円筒部１０９ｂの先端よりやや後方に位置しており、第１円板部１０９ｃの前方には、後フランジ部１０７ｃとの間に空間が形成されている。
【００７５】
第２円筒部１０９ｄは、ロータ３の円筒部３０の先端の内周側に配置可能である。第２円筒部１０９ｄの先端内周部には、１対の第１係止溝１６９ａが形成されている。第１係止溝１６９ａには、第１摩擦部１７１の第２ディスク１７４ａが回転不能に係止されている。第２円板部１０９ｅには、ドラグ発音機構７７が装着されている。第３円筒部１０９ｆは規制部２７の外方に配置されている。
【００７６】
第１摩擦部１７１は、２枚の第１ディスク１７３ａ，１７３ｂと、第１ディスク１７３ａ，１７３ｂと交互に配置された２枚の第２ディスク１７４ａ，１７４ｂとを有している。これらのディスクのうち第２ディスク１７４ｂを除くディスクは、たとえばともにステンレス合金製である。また、第２ディスク１７４ｂは、たとえばカーボングラファイト製である。第１ディスク１７３ａ，１７３ｂは、第１支持部２５の支持部本体２６に形成された係止部２６ｂに回転不能に係止されている。第１ディスク１７３ｂは、第１ディスク１７３ａより大径で第１円板部１０９ｃの前面に配置されている。第１ディスク１７３ａと第２ディスク１７４ａとの間及び第２ディスク１７４ａと第１ディスク１７３ｂとの間には、それぞれカーボングラファイト製のドラグディスク１９０が介装されている。第２ディスク１７４ａ，１７４ｂは、それぞれ第１及び第２係止溝１６９ａ，１６９ｂに係止される耳部１７４ｃを有しており、カバー部材１０９，スプール本体１０７にそれぞれ回転不能に係止されている。
【００７７】
Ｏリングからなる第１シール部材１６１は、スカート部１０７ｄの第１部分１０７ｇの先端内周部とカバー部材１０９の第１円筒部１０９ｂの外周面との間に装着されている。
【００７８】
このように構成されたスプール１０４でも、カバー部材１０９とスプール本体１０７及び第１支持部２５との隙間をシールできるので、スプール後方からの第１摩擦部1７１への液体の侵入を防止できる。また、耐食性を必要としないカバー部材１０９とスカート部１０７ｄの第２部分１０７ｈとを一体形成したので、スカート部１０７ｄの第２部分１０７ｈの材質を装飾性を重視したものにすることができる。また、スカート部１０７ｄの第２部分１０７ｈを除くスプール本体１０７の材質は、強度及び耐食性を重視したものにすることができる。このため、スプール１０４の釣り糸接触部分の耐食性を維持してスカート部１０７ｄの装飾性を向上させることができる。
【００７９】
（ｂ）前記実施形態では、スプールの糸巻胴部内に第２摩擦部７２を設けたが、第２摩擦部７２を設けずにさらに糸巻胴部の径を小さくしてもよい。この場合、ドラグ操作部を糸巻胴部の前端面に接触させスプール本体を押圧してもよく、また、スプールを支持する軸受を介してスプール本体を押圧してもよい。
【００８０】
（ｃ）前記実施形態では、第１シール部材としてＯリングを、第２シール部材としてリップ付きシール部材を例示したが、シール部材の種類はこれらに限定されず、隙間をシールできるものであればどのような形態でもよい。たとえば、シール部材としては、溝で構成されたラビリンスシールや磁性流体等を利用した流体シールなども含まれる。
【００８１】
（ｄ）前記実施形態では、第２支持部２９を第２摩擦部７２の前方に配置したが、後方に配置してもよい。この場合、第３シール手段をドラグ操作部７０に装着し第２摩擦部７２の前方を覆うようにドラグ収納部６５の内周面に接触させれば、スプール前方から第２摩擦部７２への液体の浸入防止できる。
【００８２】
【発明の効果】
本発明によれば、第１摩擦部を後方からカバー部材で覆うとともに、カバー部材と後フランジ部及びスプール軸との隙間をシール部材によりシールしているので、スプールとロータとの隙間から液体が浸入してもドラグ機構へ液体が浸入しにくくなる。このため、第１摩擦部が濡れにくくなり、ドラグ力の変動を抑えることができる。
【図面の簡単な説明】
【図１】  本発明の一実施形態を採用したスピニングリールの左側面図。
【図２】  その左側面断面図。
【図３】  そのスプール部分の断面拡大図。
【図４】  逆転防止機構の分解斜視図。
【図５】  スプールの分解斜視図。
【図６】  他の実施形態の図３に相当する図。
【符号の説明】
２  リール本体
３  ロータ
４，１０４  スプール
７，１０７  スプール本体
７ａ，１０７ａ  糸巻胴部
７ｂ  前フランジ部
７ｃ，１０７ｃ  後フランジ部
７ｄ，１０７ｄ  スカート部
７ｅ  ドラグ収納部
８，１０８  ドラグ機構
９，１０９  カバー部材
２５  第１支持部
２９  第２支持部
３０  円筒部
４８  第３シール部材
４９  第４シール部材
６１  第１シール部材
６２  第２シール部材
６５  ドラグ収納空間
７０  ドラグ操作部
７１  第１摩擦部
７２  第２摩擦部
７３，１７３ａ，１７３ｂ  第１ディスク
７４，１７４ａ，１７４ｂ  第２ディスク
７７  ドラグ発音機構
８６ａ，８６ｂ  第３ディスク
８７ａ，８７ｂ  第４ディスク
【図１】
0004772982.tif 000002
【図２】
0004772982.tif 000003
【図３】
0004772982.tif 000004
【図４】
0004772982.tif 000005
【図５】
0004772982.tif 000006
【図６】
0004772982.tif 000007